【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）がフィードバック情報を送信するための方法であって、
在圏セルごとの時分割多重（ＴＤＤ：Ｔｉｍｅ−Ｄｉｖｉｓｉｏｎ  Ｄｕｐｌｅｘｉｎｇ）上り下りリンク（ＵＬ−ＤＬ：ｕｐｌｉｎｋ−ｄｏｗｎｌｉｎｋ）構成を確定するステップであって、少なくとも２つの設定された在圏セルの前記ＴＤＤ  ＵＬ−ＤＬ構成は同じでない、前記確定するステップと、
ｃ番目の在圏セルに関して前記ＵＥによるハイブリッド自動再送要求／肯定応答（ＨＡＲＱ−ＡＣＫ）ビットのフィードバックが必要となるサブフレームの数である第１のフィードバックファクターＢｃＤＬに基づいて、サブフレームｎにおけるＨＡＲＱ−ＡＣＫ情報を送信するステップと、を含み、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４であってパラメーターＷDAIUＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合に、パラメーターＭｃと前記パラメーターＷDAIUＬとに基づいて、在圏セルごとの前記第１のフィードバックファクターＢｃＤＬが確定され、
前記パラメーターＷDAIUＬは、前記ＰＵＳＣＨ送信に対応する在圏セルの上りリンク参照（ＵＬ−ｒｅｆｅｒｅｎｃｅ）ＵＬ−ＤＬ構成に対応し、
在圏セルに関して検出されるＤＣＩフォーマット０／４であって前記パラメーターＷDAIUＬに関する値を有さないＤＣＩフォーマット０／４に基づいて調整される前記ＰＵＳＣＨ送信によって、前記サブフレームｎにおける前記ＨＡＲＱ−ＡＣＫ情報が送信される場合に、前記パラメーターＷDAIUＬには基づかずに前記パラメーターＭｃに基づいて、在圏セルごとの前記第１のフィードバックファクターＢｃＤＬが確定され、
前記パラメーターＭｃは、集合Ｋｃにおける要素の数であり、前記集合Ｋｃは、前記ｃ番目の在圏セルの１つ以上のｋの値を含み、
前記パラメーターＷDAIUＬは、下りリンク割り当てインデックス（ＤＡＩ：Ｄｏｗｎｌｉｎｋ  Ａｓｓｉｇｎｍｅｎｔ  Ｉｎｄｅｘ）に基づいて確定され、
前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかを検出すると、前記送信するステップにて、前記サブフレームｎにおける前記ＨＡＲＱ−ＡＣＫ情報を送信する、方法。
【請求項２】
フィードバック情報を送信するユーザ装置（ＵＥ）であって、
在圏セルごとの時分割多重（ＴＤＤ）上り下りリンク（ＵＬ−ＤＬ）構成を確定するように構成されたオペレーション部であって、少なくとも２つの設定された在圏セルの前記ＴＤＤ  ＵＬ−ＤＬ構成は同じでない、前記オペレーション部と、
ｃ番目の在圏セルに関して前記ＵＥによるハイブリッド自動再送要求／肯定応答（ＨＡＲＱ−ＡＣＫ）ビットのフィードバックが必要となるサブフレームの数である第１のフィードバックファクターＢｃＤＬに基づいて、サブフレームｎにおけるＨＡＲＱ−ＡＣＫ情報を送信するように構成された送信部と
を備え、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４であってパラメーターＷDAIUＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ）送信によって、前記サブフレームｎにおける前記ＨＡＲＱ−ＡＣＫ情報が送信される場合に、パラメーターＭｃと前記パラメーターＷDAIUＬとに基づいて、在圏セルごとの前記第１のフィードバックファクターＢｃＤＬが確定され、
前記パラメーターＷDAIUＬは、前記ＰＵＳＣＨ送信に対応する在圏セルの上りリンク参照（ＵＬ−ｒｅｆｅｒｅｎｃｅ）ＵＬ−ＤＬ構成に対応し、
在圏セルに関して検出されるＤＣＩフォーマット０／４であって前記パラメーターＷDAIUＬに関する値を有さないＤＣＩフォーマット０／４に基づいて調整される前記ＰＵＳＣＨ送信によって、前記サブフレームｎにおける前記ＨＡＲＱ−ＡＣＫ情報が送信される場合に、前記パラメーターＷDAIUＬには基づかずに前記パラメーターＭｃに基づいて、在圏セルごとの前記第１のフィードバックファクターＢｃＤＬが確定され、
前記パラメーターＭｃは、集合Ｋｃにおける要素の数であり、前記集合Ｋｃは、前記ｃ番目の在圏セルの１つ以上のｋの値を含み、
前記パラメーターＷDAIUＬは、下りリンク割り当てインデックス（ＤＡＩ：Ｄｏｗｎｌｉｎｋ  Ａｓｓｉｇｎｍｅｎｔ  Ｉｎｄｅｘ）に基づいて確定され、
前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが検出されると、前記送信部は、前記サブフレームｎにおける前記ＨＡＲＱ−ＡＣＫ情報を送信する、ＵＥ。
【請求項３】
ＵＥに複数の機能を実行させるために前記ＵＥに搭載された集積回路であって、
在圏セルごとの時分割多重（ＴＤＤ）上り下りリンク（ＵＬ−ＤＬ）構成を確定するステップであって、少なくとも２つの設定された在圏セルの前記ＴＤＤ  ＵＬ−ＤＬ構成は同じでない、前記確定するステップと、
ｃ番目の在圏セルに関して前記ＵＥによるハイブリッド自動再送要求／肯定応答（ＨＡＲＱ−ＡＣＫ）ビットのフィードバックが必要となるサブフレームの数である第１のフィードバックファクターＢｃＤＬに基づいて、サブフレームｎにおけるＨＡＲＱ−ＡＣＫ情報を送信するステップと、を行わせ、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４であってパラメーターＷDAIUＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ）送信によって、前記サブフレームｎにおける前記ＨＡＲＱ−ＡＣＫ情報が送信される場合に、パラメーターＭｃと前記パラメーターＷDAIUＬとに基づいて、在圏セルごとの前記第１のフィードバックファクターＢｃＤＬが確定され、
前記パラメーターＷDAIUＬは、前記ＰＵＳＣＨ送信に対応する在圏セルの上りリンク参照（ＵＬ−ｒｅｆｅｒｅｎｃｅ）ＵＬ−ＤＬ構成に対応し、
在圏セルに関して検出されるＤＣＩフォーマット０／４であって前記パラメーターＷDAIUＬに関する値を有さないＤＣＩフォーマット０／４に基づいて調整される前記ＰＵＳＣＨ送信によって、前記サブフレームｎにおける前記ＨＡＲＱ−ＡＣＫ情報が送信される場合に、前記パラメーターＷDAIUＬには基づかずに前記パラメーターＭｃに基づいて、在圏セルごとの前記第１のフィードバックファクターＢｃＤＬが確定され、
前記パラメーターＭｃは、集合Ｋｃにおける要素の数であり、前記集合Ｋｃは、前記ｃ番目の在圏セルの１つ以上のｋの値を含み、
前記パラメーターＷDAIUＬは、下りリンク割り当てインデックス（ＤＡＩ：Ｄｏｗｎｌｉｎｋ  Ａｓｓｉｇｎｍｅｎｔ  Ｉｎｄｅｘ）に基づいて確定され、
前記ＵＥは、前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかを検出すると、前記送信するステップにて、前記サブフレームｎにおける前記ＨＡＲＱ−ＡＣＫ情報を送信する、集積回路。
【請求項４】
基地局装置（ｅＮＢ）がフィードバック情報を受信するための方法であって、
在圏セルごとの時分割多重（ＴＤＤ）上り下りリンク（ＵＬ−ＤＬ）構成を確定するステップであって、少なくとも２つの設定された在圏セルの前記ＴＤＤ  ＵＬ−ＤＬ構成は同じでない、前記確定するステップと、
ｃ番目の在圏セルに関してユーザ装置（ＵＥ）によるハイブリッド自動再送要求／肯定応答（ＨＡＲＱ−ＡＣＫ）ビットのフィードバックが必要となるサブフレームの数である第１のフィードバックファクターＢｃＤＬに基づいて、サブフレームｎにおけるＨＡＲＱ−ＡＣＫ情報を受信するステップと、を含み、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４であってパラメーターＷDAIUＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合に、パラメーターＭｃと前記パラメーターＷDAIUＬとに基づいて、在圏セルごとの前記第１のフィードバックファクターＢｃＤＬが確定され、
前記パラメーターＷDAIUＬは、前記ＰＵＳＣＨ送信に対応する在圏セルの上りリンク参照（ＵＬ−ｒｅｆｅｒｅｎｃｅ）ＵＬ−ＤＬ構成に対応し、
在圏セルに関して検出されるＤＣＩフォーマット０／４であって前記パラメーターＷDAIUＬに関する値を有さないＤＣＩフォーマット０／４に基づいて調整される前記ＰＵＳＣＨ送信によって、前記サブフレームｎにおける前記ＨＡＲＱ−ＡＣＫ情報が送信される場合に、前記パラメーターＷDAIUＬには基づかずに前記パラメーターＭｃに基づいて、在圏セルごとの前記第１のフィードバックファクターＢｃＤＬが確定され、
前記パラメーターＭｃは、集合Ｋｃにおける要素の数であり、前記集合Ｋｃは、前記ｃ番目の在圏セルの１つ以上のｋの値を含み、
前記パラメーターＷDAIUＬは、下りリンク割り当てインデックス（ＤＡＩ：Ｄｏｗｎｌｉｎｋ  Ａｓｓｉｇｎｍｅｎｔ  Ｉｎｄｅｘ）に基づいて確定され、
前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが前記ＵＥによって検出されると、前記受信するステップにて、前記サブフレームｎにおける前記ＨＡＲＱ−ＡＣＫ情報を受信する、方法。
【請求項５】
フィードバック情報を受信する基地局装置（ｅＮＢ）であって、
在圏セルごとの時分割多重（ＴＤＤ）上り下りリンク（ＵＬ−ＤＬ）構成を確定するように構成されたオペレーション部であって、少なくとも２つの設定された在圏セルの前記ＴＤＤ  ＵＬ−ＤＬ構成は同じでない、前記オペレーション部と、
ｃ番目の在圏セルに関してユーザ装置（ＵＥ）によるハイブリッド自動再送要求／肯定応答（ＨＡＲＱ−ＡＣＫ）ビットのフィードバックが必要となるサブフレームの数である第１のフィードバックファクターＢｃＤＬに基づいて、サブフレームｎにおけるＨＡＲＱ−ＡＣＫ情報を受信するように構成された受信部と
を備え、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４であってパラメーターＷDAIUＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合に、パラメーターＭｃと前記パラメーターＷDAIUＬとに基づいて、在圏セルごとの前記第１のフィードバックファクターＢｃＤＬが確定され、
前記パラメーターＷDAIUＬは、前記ＰＵＳＣＨ送信に対応する在圏セルの上りリンク参照（ＵＬ−ｒｅｆｅｒｅｎｃｅ）ＵＬ−ＤＬ構成に対応し、
在圏セルに関して検出されるＤＣＩフォーマット０／４であって前記パラメーターＷDAIUＬに関する値を有さないＤＣＩフォーマット０／４に基づいて調整される前記ＰＵＳＣＨ送信によって、前記サブフレームｎにおける前記ＨＡＲＱ−ＡＣＫ情報が送信される場合に、前記パラメーターＷDAIUＬには基づかずに前記パラメーターＭｃに基づいて、在圏セルごとの前記第１のフィードバックファクターＢｃＤＬが確定され、
前記パラメーターＭｃは、集合Ｋｃにおける要素の数であり、前記集合Ｋｃは、前記ｃ番目の在圏セルの１つ以上のｋの値を含み、
前記パラメーターＷDAIUＬは、下りリンク割り当てインデックス（ＤＡＩ：Ｄｏｗｎｌｉｎｋ  Ａｓｓｉｇｎｍｅｎｔ  Ｉｎｄｅｘ）に基づいて確定され、
前記ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが前記ＵＥによって検出されると、前記受信部は、前記サブフレームｎにおける前記ＨＡＲＱ−ＡＣＫ情報を受信する、
ｅＮＢ。
【請求項６】
基地局装置（ｅＮＢ）に複数の機能を実行させるために前記ｅＮＢに搭載された集積回路であって、
在圏セルごとの時分割多重（ＴＤＤ）上り下りリンク（ＵＬ−ＤＬ）構成を確定するステップであって、少なくとも２つの設定された在圏セルの前記ＴＤＤ  ＵＬ−ＤＬ構成は同じでない、前記確定するステップと、
ｃ番目の在圏セルに関してユーザ装置（ＵＥ）によるハイブリッド自動再送要求／肯定応答（ＨＡＲＱ−ＡＣＫ）ビットのフィードバックが必要となるサブフレームの数である第１のフィードバックファクターＢｃＤＬに基づいて、サブフレームｎにおけるＨＡＲＱ−ＡＣＫ情報を受信するステップと
を行わせ、
在圏セルに関して検出される下りリンク制御情報（ＤＣＩ：Ｄｏｗｎｌｉｎｋ  Ｃｏｎｔｒｏｌ  Ｉｎｆｏｒｍａｔｉｏｎ）フォーマット０／４であってパラメーターＷDAIUＬを確定するための下りリンク割り当てインデックス（ＤＡＩ：Ｄｏｗｎｌｉｎｋ  Ａｓｓｉｇｎｍｅｎｔ  Ｉｎｄｅｘ）を有するＤＣＩフォーマット０／４に基づいて調整される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）送信によって、前記サブフレームｎにおける前記ＨＡＲＱ−ＡＣＫ情報が送信される場合に、パラメーターＭｃと前記パラメーターＷDAIUＬとに基づいて、在圏セルごとの前記第１のフィードバックファクターＢｃＤＬが確定され、
前記パラメーターＷDAIUＬは、前記ＰＵＳＣＨ送信に対応する在圏セルの上りリンク参照（ＵＬ−ｒｅｆｅｒｅｎｃｅ）ＵＬ−ＤＬ構成に対応し、
在圏セルに関して検出されるＤＣＩフォーマット０／４であって前記パラメーターＷDAIUＬに関する値を有さないＤＣＩフォーマット０／４に基づいて調整される前記ＰＵＳＣＨ送信によって、前記サブフレームｎにおける前記ＨＡＲＱ−ＡＣＫ情報が送信される場合に、前記パラメーターＷDAIUＬには基づかずに前記パラメーターＭｃに基づいて、在圏セルごとの前記第１のフィードバックファクターＢｃＤＬが確定され、
前記パラメーターＭｃは、集合Ｋｃにおける要素の数であり、前記集合Ｋｃは、前記ｃ番目の在圏セルの１つ以上のｋの値を含み、
前記パラメーターＷDAIUＬは、下りリンク割り当てインデックス（ＤＡＩ：Ｄｏｗｎｌｉｎｋ  Ａｓｓｉｇｎｍｅｎｔ  Ｉｎｄｅｘ）に基づいて確定され、
前記ｅＮＢは、ｃ番目の在圏セルに関してサブフレームｎ−ｋにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と下りリンク・セミパーシステント・スケジューリング（ＳＰＳ）リリースを示す物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのいずれかが前記ＵＥによって検出されると、前記受信するステップにて、前記サブフレームｎにおける前記ＨＡＲＱ−ＡＣＫ情報を受信する、
集積回路。